(57)【要約】【課題】赤外光を照射し、その反射光を検知する接眼検知センサーをアイカップの内側に配置した電子ビューファインダーを有し、アイカップが前記赤外光を反射することによる誤検知の可能性を低減することにより、電子ビューファインダーを小型化できる電子機器を提供すること。【解決手段】接眼検知センサーとアイカップを有する電子ビューファインダーを搭載した電子機器において、アイカップの材料をカーボンブラック及び、ＰＶＣを配合したＮＢＲにより成型し、アイカップの表面を粗くする表面加工を施すことを特徴とする。【選択図】図５
2016128855.tif 000002
【特許請求の範囲】
【請求項１】
接眼検知センサーとアイカップを有する電子ビューファインダーを搭載し、
前記接眼検知センサーは赤外光照射部と赤外光受光部を有し、
前記アイカップの材料をカーボンブラック及び、ＰＶＣを配合したＮＢＲにより成型したことを特徴とする電子機器。
【請求項２】
前記アイカップの表面を粗くする表面加工を施したことを特徴とする請求項１に記載の電子機器。
【請求項３】
前記アイカップは前記電子ビューファインダーの光軸の周りを一周囲う形状を有したことを特徴とする請求項１又は請求項２に記載の電子機器。
【発明の詳細な説明】
【技術分野】
【０００１】
本発明は、ビデオカメラまたはデジタルカメラ等の電子ビューファインダーが設置された電子機器に関する。
【背景技術】
【０００２】
有機ＥＬパネル等の表示素子により表示を行う電子ビューファインダーを搭載した電子機器においては、表示素子の高寿命化及び、省電力化の為に、使用者が電子ビューファインダーを覗く為に接眼した時だけ、表示素子を作動させ、それ以外は停止させる電子機器がある。
【０００３】
接眼を検知するための機構として、赤外光を照射し近接した物体から反射した赤外光を検知する接眼検知センサーを使用した機構が知られている。
【０００４】
しかし、赤外光が照射される範囲に電子機器の部品等が存在してしまうと、電子ビューファインダーを覗くための接眼時以外にも接眼検知センサーが部品を検知してしまい、表示素子が作動してしまうといった誤検知が起きる問題点があった。
【０００５】
そこで、接眼を検知してビューファインダーと可動式モニタとを切り替えする撮像装置において、可動式モニタの姿勢を検出し、接眼検知センサーが可動式モニタを検知してしまう姿勢にあるときは、可動式モニタ表示を停止させない、または、接眼検知を無効化するといった制御が提案されている（特許文献１）。
【先行技術文献】
【特許文献】
【０００６】
【特許文献１】特開２０１０−２１６２１号公報
【発明の概要】
【発明が解決しようとする課題】
【０００７】
ところで、電子ビューファインダー等では、外光を遮蔽し表示素子の表示内容の視認性を良くするためにアイカップを備え、アイカップに顔を密着させて使用するものがある。このような電子ビューファインダーでは、アイカップ内面と眼球及びまつ毛の接触を防ぐため、接眼検知センサーが設置されるアイカップ内面の表示開口面から、アイカップの接眼側の先端までに、ある程度の距離を有する必要がある。また、小型化を狙った電子ビューファインダーにおいては、アイカップと接眼検知センサーの距離を接近させなければならず、接眼検知センサーの赤外光がアイカップの立ち壁面にあたって乱反射してしまい、誤検知を起こしてしまうといった問題がある。
【０００８】
このように、接眼検知センサーが検知してしまう位置に常に電子機器の部品が存在する状態では、先行技術文献のような制御で誤検知を防ぐことが困難である。
【０００９】
そこで、本発明は、電子ビューファインダーの小型化のためアイカップと接眼検知センサーを接近して配置しても接眼検知センサーの誤検知を低減させることが可能な電子機器を提供することを目的とする。
【課題を解決するための手段】
【００１０】
上記の目的を達成するために、本発明の電子機器は、接眼検知センサーとアイカップを有する電子ビューファインダーを搭載し、前記接眼検知センサーは赤外光照射部と赤外光受光部を有し、前記アイカップの材料をカーボンブラック及び、ＰＶＣを配合したＮＢＲにより成型したことを特徴とする。
【発明の効果】
【００１１】
本発明によれば、アイカップに接眼検知センサーの赤外光の一部が照射されても接眼検知センサーの誤検知を低減させ、電子ビューファインダーの小型化を可能とすることができる電子機器の提供を実現できる。
【図面の簡単な説明】
【００１２】
【図１】電子機器１の外観斜視図である。
【図２】電子ビューファインダー１００の外観斜視図である。
【図３】電子ビューファインダー１００の断面図である。
【図４】電子ビューファインダー１００の接眼検知センサー１０１の配置を示した斜視図である。
【図５】電子ビューファインダー１００の接眼検知センサー１０１の赤外光の照射範囲を示した断面図である。
【発明を実施するための形態】
【００１３】
以下、本発明の実施形態を添付の図を基に詳細に説明する。
【００１４】
図１は本発明の実施形態に係る電子機器１を上面側から見た外観斜視図である。この電子機器１は、レンズ交換式のデジタルビデオカメラとして構成されている。
【００１５】
図１に示すように、電子機器１はカメラ本体部２００に交換可能なレンズユニットを着脱できるレンズマウント部２０１を有する。カメラ本体部２００の上方には備え付けの電子ビューファインダー１００を有する。
【００１６】
図２は電子ビューファインダー１００の外観構成を示す斜視図である。特に図２（ａ）は電子ビューファインダー１００をカメラ本体部２００側から見た外観斜視図であり、図２（ｂ）は電子ビューファインダー１００を接眼側から見た外観斜視図である。
【００１７】
電子ビューファインダー１００は、カメラ本体部２００に接続するためのカメラ本体接続ヒンジ１０２、及びカメラ本体部２００から画像信号を受け取るためのビューファインダー接続ＦＰＣ１０３とを備える。
【００１８】
図３は電子ビューファインダー１００の内部構成を示す断面図であり、図３（ａ）は断面位置を示す図であり、その切り口からの見た断面図が図３（ｂ）である。
【００１９】
電子ビューファインダー１００では光軸１５０の周りを一周囲うようにアイカップ１０５の形状が形成されている。アイカップ１０５に顔を密着して使用すると、如何なる方向の外光をも遮蔽して、表示素子１０４の表示内容の視認性が良くなる。
【００２０】
カメラ本体部２００からビューファインダー接続ＦＰＣ１０３を通り送られた画像信号は、電子ビューファインダー基板１０６を経由して表示素子１０４に送られ光学画像として表示される。また電子機器１において表示素子１０４は有機ＥＬパネルである。表示素子１０４より表示された光線としての光学画像はレンズ部１０７によって集光される。
【００２１】
集光された光線はレンズ保護板１０８を透過し、肉眼により光学画像を視認できる。また、レンズ保護板１０８は光線が通過する開口を有するレンズ保護板押さえ部材１０９により電子ビューファインダー１００に固定される。
【００２２】
肉眼による光学画像の視認性を良くするために、外光の遮蔽を目的として、アイカップ１０５と顔面を密着し、光学画像を視認する方法を電子機器１では採用している。レンズ保護板１０８及びレンズ保護板押さえ部材１０９に眼球やまつ毛が接触してしまうことを防ぐために、レンズ保護板押さえ部材１０９からアイカップ１０５の接眼側の先端までの距離をある程度保たなければならない。電子ビューファインダー１００では、この距離が最大の箇所で１１ｍｍである。
【００２３】
図４は接眼検知センサー１０１の配置がわかるように、接眼検知センサー保護板１１０を外した状態の電子ビューファインダー１００の外観斜視図である。
【００２４】
電子機器１で使用している接眼検知センサー１０１は、赤外光照射部１１１より赤外光を常時照射し、近接した物体に反射した赤外光を赤外光受光部１１２により受光することにより、接眼の検知を行っている。電子ビューファインダー１００の赤外光照射部１１１からはピーク波長が９４０ｎｍの赤外光が照射されている。電子ビューファインダー１００の赤外光の照射方向は、電子ビューファインダー１００の光軸１５０と平行方向に赤外光の強度が最大となるように設置している。また、電子ビューファインダー１００では、赤外光が最大方向の強度から半分の強度になる指向性の角度（半値角）は片側３０度である。
【００２５】
図５は電子ビューファインダー１００の接眼検知センサー１０１付近の内部構成を示す断面図であり、図５（ａ）は断面位置を示す図、その切り口からの見た断面図が図５（ｂ）である。また、図５では赤外光照射部１１１の赤外光照射範囲１１３を図示している。また、図示した赤外光照射範囲１１３の角度は前述した半値角の３０度の範囲である。
【００２６】
図５（ｂ）で示した通り、接眼検知センサー１０１と電子ビューファインダー基板１０６とは接眼検知センサー接続ＦＰＣ１１４により電気的に接続され、また前述した通り、電子ビューファインダー基板１０６は表示素子１０４と電気的に接続されているため、電子機器１では表示素子１０４の高寿命化及び、省電力化を目的として、接眼しているときは表示素子１０４を作動させ、それ以外のときは表示素子１０４を停止させる制御を行うことができる。
【００２７】
また、接眼検知センサー１０１の前面には、接眼検知センサー１０１の保護を目的とした、接眼検知センサー保護板１１０が設置されている。また、接眼検知センサー保護板１１０そのもので赤外光を反射させて接眼したと誤検知してしまうことを防ぐために、接眼検知センサー保護板１１０は赤外光を透過しやすい部材でなくてはならない。電子ビューファインダー１００では、品位向上のために接眼検知センサー１０１が外から透けて見えることを防止する目的で、約７５０ｎｍより長い波長の光は透過しやすく、それより短い波長の光は透過しにくい材料で接眼検知センサー保護板１１０を成型している。これにより、接眼検知センサー保護板１１０は可視光を透過しにくく、接眼検知センサー１０１が外から透けて見え難い構成となっている。
【００２８】
電子ビューファインダー１００では、前述した通り、アイカップ１０５と顔面を密着させ光学画像を視認するため、レンズ保護板押さえ部材１０９からアイカップ１０５の接眼側の先端までの距離をある程度保たなければならない。さらに、小型化のために、アイカップ１０５の立ち壁を接眼検知センサー１０１に極力近接して配置したい。すると、電子ビューファインダー１００では図５（ｂ）で示した通り、半値角の赤外光がアイカップにあたってしまう位置関係となってしまう。また、半値角を小さくしてしまうと、接眼を検知し難くくなるので、半値角を小さくしたくない。このままでは、接眼検知センサー１０１の赤外光がアイカップ１０５に反射してしまい、接眼したと誤検知を起こしてしまう。
【００２９】
そこで、電子ビューファインダー１００のアイカップ１０５ではカーボンブラック及び、ＰＶＣを配合したＮＢＲを材料として成型している。これにより、アイカップ１０５の赤外光の反射率を低下し、接眼検知センサー１０１の誤検知の可能性を低下させることができる。また、アイカップ１０５の表面を粗くするためのシボ加工等の表面処理を施すことにより、反射する赤外光を拡散させ、さらに誤検知の可能性を低下させることができる。
【００３０】
また、二色成型等によりアイカップ１０５の半値角の赤外光が照射される範囲の材料のみをカーボンブラック及び、ＰＶＣを配合したＮＢＲにしても同様の効果が得られる。
【００３１】
以上の構成により、アイカップ１０５に乱反射される赤外光の影響を低減し接眼検知センサー１０１の誤検知を回避するとこが可能となる。ひいては電子ビューファインダー１００の小型化のためにはなくてはならない技術である。
【００３２】
以上、本発明の好ましい実施形態について説明したが、本発明はこれらの実施形態に限られず、その要旨の範囲内で種々の変形及び変更が可能である。
【符号の説明】
【００３３】
１０１  接眼検知センサー、１０４  表示素子、１０５  アイカップ、
１１１  赤外光照射部、１１２  赤外光受光部
【図１】
2016128855.tif 000003
【図２】
2016128855.tif 000004
【図３】
2016128855.tif 000005
【図４】
2016128855.tif 000006
【図５】
2016128855.tif 000007